(57)【要約】【課題】吹出口から吹き出される空調用空気の指向性を向上させるための端フィンの動作を、少ない部品点数で、しかも簡単な構造で実現する。【解決手段】配列方向における両端の一対の端フィン２６と、両端フィン２６間の複数の中間フィン２７とのそれぞれにおいて、フィン軸２９から径方向に離れた連結ピンは、連結プレート４６Ｕによって連結される。端フィン２６毎の連結ピンは、フィン軸２９よりも、空調用空気の流れ方向における上流に位置する上流連結ピン４４Ｕと、下流に位置する下流連結ピン４５Ｕとからなる。連結プレート４６Ｕの左右両側部における両上流カム溝４８Ｕは、中間フィン２７が通風路の中心軸線ＣＬに対し平行になる中立状態で、上流連結ピン４４Ｕが係合される箇所を起点として互いに遠ざかる側へ延び、両下流カム溝５１Ｕは、上記中立状態で下流連結ピン４５Ｕが係合される箇所を起点として互いに接近する側へ延びる。【選択図】図８
2020179816.tif 000002
【特許請求の範囲】
【請求項１】
空調用空気の通風路が形成され、かつ同空調用空気の流れ方向における下流端に吹出口を有するリテーナと、前記通風路に配列され、かつフィン軸によりそれぞれ前記リテーナに傾動可能に支持された複数のフィンからなり、配列方向における両端のフィン、又は、同両端及びその隣のフィンを一対の端フィンとし、両端フィン間の複数のフィンを中間フィンとして有するフィン群と、前記フィン群の全ての前記フィンにおいて前記フィン軸から径方向に離れた箇所に設けられた連結ピンを連結する連結プレートとを備え、
両端フィンは、前記中間フィンが前記通風路の中心軸線に対し平行になる中立状態では、前記中心軸線に対し平行となり、前記中間フィンが前記中心軸線に対し傾斜する傾斜状態では、前記流れ方向における下流側ほど互いに接近するように前記中心軸線に対し傾斜する空調用レジスタであって、
前記端フィン毎の前記連結ピンは、前記流れ方向における前記フィン軸よりも上流に位置する上流連結ピンと、下流に位置する下流連結ピンとからなり、
前記連結プレートの前記配列方向における両側部には、前記上流連結ピンが係合される上流カム溝と、前記下流連結ピンが係合される下流カム溝とがそれぞれ形成され、
両上流カム溝は、前記中立状態で前記上流連結ピンが係合される箇所を起点として互いに遠ざかる側へ延び、両下流カム溝は、前記中立状態で前記下流連結ピンが係合される箇所を起点として互いに接近する側へ延びている空調用レジスタ。
【請求項２】
前記フィン群における全ての前記フィン軸は前記リテーナの外部に突出し、
各フィン軸のうち前記リテーナの外部に突出した部分からはアームが延びており、
前記中間フィンにおける前記連結ピンは、前記アームにおいて前記フィン軸から離れた箇所に設けられ、
前記端フィンにおける前記アームは、前記フィン軸を起点として、同フィン軸に対し交差する方向のうち、互いに反対方向へ延びており、前記上流連結ピン及び前記下流連結ピンは、前記アームにおいて前記フィン軸を挟み、かつ互いに同フィン軸から反対方向に離れた箇所に設けられている請求項１に記載の空調用レジスタ。
【請求項３】
各端フィンのフィン軸は、前記中間フィンのフィン軸よりも前記流れ方向における上流であって、同端フィンのフィン軸と、同端フィンの前記流れ方向における下流端との間隔よりも隣の前記中間フィンのフィン軸から遠い箇所に配置されている請求項１又は２に記載の空調用レジスタ。
【請求項４】
前記リテーナは、相対向する一対の第１対向壁部と、両第１対向壁部に対し交差した状態で相対向して、自身の端部において前記第１対向壁部の端部に連結された一対の第２対向壁部とを備え、
両端フィン及び全ての前記中間フィンは、前記第１対向壁部及び前記第２対向壁部の一方に沿って配列され、
前記端フィンの前記フィン軸は、前記流れ方向における同端フィンの上流端に設けられて、前記第１対向壁部と前記第２対向壁部との境界部分に支持されている請求項３に記載の空調用レジスタ。
【請求項５】
前記リテーナは、相対向する一対の第１対向壁部と、両第１対向壁部に対し交差した状態で相対向して、自身の端部において前記第１対向壁部の端部に連結された一対の第２対向壁部とを備え、
前記フィン群は、両端フィン及び全ての前記中間フィンが、前記流れ方向における前記吹出口の上流で、両第２対向壁部間で前記第１対向壁部に沿って配列された下流フィン群と、両端フィン及び全ての前記中間フィンが、前記流れ方向における前記下流フィン群よりも上流で、両第１対向壁部間で前記第２対向壁部に沿って配列された上流フィン群とからなり、
前記上流連結ピンの前記上流カム溝に対する係合、及び前記下流連結ピンの前記下流カム溝に対する係合は、前記下流フィン群及び前記上流フィン群のうち、少なくとも前記上流フィン群においてなされている請求項１〜４のいずれか１項に記載の空調用レジスタ。
【発明の詳細な説明】
【技術分野】
【０００１】
本発明は、空調装置から送られてきて室内に吹き出す空調用空気の向きを変更等する空調用レジスタに関する。
【背景技術】
【０００２】
車両のインストルメントパネルには、空調装置から送られてきて吹出口から車室内に吹き出される空調用空気の向きを変更等するための空調用レジスタが組み込まれている。この空調用レジスタは、一般に、空調用空気の通風路が形成されたリテーナと、複数のフィンからなるフィン群とを備える。リテーナは、空調用空気の流れ方向における下流端に吹出口を有する。フィン群における複数のフィンは、通風路において列をなすように配列されている。複数のフィンは、配列方向における両端に位置する一対の端フィンと、両端フィン間に位置する複数の中間フィンとからなる。これらの端フィン及び中間フィンは、フィン軸により、リテーナに傾動可能に支持されている。
【０００３】
さらに、特許文献１及び特許文献２に記載された空調用レジスタでは、吹出口から吹き出される空調用空気の指向性向上を目的として、両端フィンが次のように作動させられる。
【０００４】
中間フィンが通風路の中心軸線に対し平行にされるフィン群の中立状態では、両端フィンは、中心軸線に対し平行にされる。従って、このときには、上記配列方向における通風路の両側部を流れる空調用空気は、同方向における中間部を流れる空調用空気と同様、吹出口から下流側へ真っ直ぐ吹き出される。
【０００５】
また、中間フィンが中心軸線に対し傾斜させられるフィン群の傾斜状態では、両端フィンは、上記流れ方向における下流側ほど互いに接近するように、上記中心軸線に対し傾斜させられる。このときには、一方の端フィンは、上記中心軸線に対し、中間フィンの傾斜方向と同一方向に傾斜する。そのため、上記配列方向における通風路の一方の側部を流れる空調用空気は、上記端フィンに沿って、他の中間フィンと同一方向へ流れた後、吹出口から吹き出される。また、他方の端フィンは、上記中心軸線に対し、中間フィンの傾斜方向と反対傾向の方向に傾斜する。そのため、上記配列方向における通風路の他方の側部を流れる空調用空気は、上記端フィンに沿って流れることで、隣の中間フィンに当たって、流れ方向を、同中間フィンに沿う方向に変更される。従って、上記空調用空気は、中間フィンと同一方向へ流れた後に、吹出口から吹き出される。上記のようにして、上記配列方向における通風路の両側部を流れる空調用空気が、中間部を流れる空調用空気と同一方向へ吹き出されるため、指向性が向上する。
【先行技術文献】
【特許文献】
【０００６】
【特許文献１】特開昭５８−１８４４３９号公報
【特許文献２】特開昭６０−２２６６５２号公報
【発明の概要】
【発明が解決しようとする課題】
【０００７】
ところが、上記特許文献１及び特許文献２に記載された従来の空調用レジスタでは、両端フィンを上記のように作動させるために多数の部品を必要としたり、同作動のための構造が複雑になったりする問題がある。
【０００８】
本発明は、このような実情に鑑みてなされたものであって、その目的は、吹出口から吹き出される空調用空気の指向性を向上させるための端フィンの動作を、少ない部品点数で、しかも簡単な構造で実現することのできる空調用レジスタを提供することにある。
【課題を解決するための手段】
【０００９】
上記課題を解決する空調用レジスタは、空調用空気の通風路が形成され、かつ同空調用空気の流れ方向における下流端に吹出口を有するリテーナと、前記通風路に配列され、かつフィン軸によりそれぞれ前記リテーナに傾動可能に支持された複数のフィンからなり、配列方向における両端のフィン、又は、同両端及びその隣のフィンを一対の端フィンとし、両端フィン間の複数のフィンを中間フィンとして有するフィン群と、前記フィン群の全ての前記フィンにおいて前記フィン軸から径方向に離れた箇所に設けられた連結ピンを連結する連結プレートとを備え、両端フィンは、前記中間フィンが前記通風路の中心軸線に対し平行になる中立状態では、前記中心軸線に対し平行となり、前記中間フィンが前記中心軸線に対し傾斜する傾斜状態では、前記流れ方向における下流側ほど互いに接近するように前記中心軸線に対し傾斜する空調用レジスタであって、前記端フィン毎の前記連結ピンは、前記流れ方向における前記フィン軸よりも上流に位置する上流連結ピンと、下流に位置する下流連結ピンとからなり、前記連結プレートの前記配列方向における両側部には、前記上流連結ピンが係合される上流カム溝と、前記下流連結ピンが係合される下流カム溝とがそれぞれ形成され、両上流カム溝は、前記中立状態で前記上流連結ピンが係合される箇所を起点として互いに遠ざかる側へ延び、両下流カム溝は、前記中立状態で前記下流連結ピンが係合される箇所を起点として互いに接近する側へ延びている。
【００１０】
上記の構成によれば、フィン群の中立状態では、上流連結ピンが上流カム溝の起点に係合されるとともに、下流連結ピンが下流カム溝の起点に係合される。両端フィンは、いずれも通風路の中心軸線に対し平行となる。
【００１１】
フィン群の中立状態から連結プレートが上記配列方向における一方に移動すると、その移動は中間フィンの連結ピンを介して同中間フィンに伝達される。各中間フィンは、フィン軸を支点として傾動し、フィン群は、全ての中間フィンが上記中心軸線に対し傾斜する傾斜状態になる。
【００１２】
上流カム溝及び下流カム溝のうち、起点から連結プレートの移動方向とは反対傾向の方向へ延びるカム溝は、上流連結ピン及び下流連結ピンのうち、同カム溝の起点に係合している連結ピンを上記移動方向へ押圧しない。これに対し、起点から連結プレートの移動方向と同一傾向の方向へ延びるカム溝は、上流連結ピン及び下流連結ピンのうち、同カム溝の起点に係合している連結ピンを上記移動方向へ押圧する。
【００１３】
カム溝によって押圧された連結ピンは、押圧されない連結ピンとともにフィン軸の周りを旋回する。カム溝によって押圧されない連結ピンの同カム溝における位置は、上記旋回に伴い変化する。
【００１４】
起点から連結プレートの移動方向と同一傾向の方向へ延びるカム溝が上流カム溝である場合には、上流連結ピンが同上流カム溝に係合した端フィンは、空調用空気の流れ方向におけるフィン軸よりも上流側の部分が上記移動方向と同一傾向の方向へ移動し、かつ下流側の部分が上記移動方向とは反対傾向の方向へ移動するように傾動する。これに対し、起点から連結プレートの移動方向と同一傾向の方向へ延びるカム溝が下流カム溝である場合には、下流連結ピンが同下流カム溝に係合した端フィンは、上記流れ方向におけるフィン軸よりも上流側の部分が上記移動方向とは反対傾向の方向へ移動し、かつ下流側の部分が上記移動方向と同一傾向の方向へ移動するように傾動する。このようにして、両端フィンは、フィン群の傾斜状態では、上記流れ方向の下流側ほど互いに接近するように上記中心軸線に対し傾斜する。
【００１５】
端フィンの上記動作は、上述したように、連結プレートの移動に伴い、上流カム溝及び下流カム溝を変位させて、上流カム溝における上流連結ピンの係合位置を変化させるとともに、下流カム溝における下流連結ピンの係合位置を変化させるといった、簡単な構造で実現される。しかも、上記連結プレートは、複数の中間フィンを同期した状態で傾動させるために、もともと空調用レジスタの構成部材として用いられているものである。そのため、両端フィンの上記動作を実現するために、新たに部品を追加しなくてすむ。
【００１６】
上記空調用レジスタにおいて、前記フィン群における全ての前記フィン軸は前記リテーナの外部に突出し、各フィン軸のうち前記リテーナの外部に突出した部分からはアームが延びており、前記中間フィンにおける前記連結ピンは、前記アームにおいて前記フィン軸から離れた箇所に設けられ、前記端フィンにおける前記アームは、前記フィン軸を起点として、同フィン軸に対し交差する方向のうち、互いに反対方向へ延びており、前記上流連結ピン及び前記下流連結ピンは、前記アームにおいて前記フィン軸を挟み、かつ互いに同フィン軸から反対方向に離れた箇所に設けられていることが好ましい。
【００１７】
上記の構成によれば、連結プレートが上記配列方向における一方へ移動すると、その動きは、連結ピン及びアームを介して各中間フィンに伝達され、同中間フィンがフィン軸を支点として傾動する。
【００１８】
また、連結プレートの上記動きは、上流カム溝、上流連結ピン及びアームを介して一方の端フィンに伝達されるとともに、下流カム溝、下流連結ピン及びアームを介して他方の端フィンに伝達される。両端フィンは、フィン軸を支点として、上記流れ方向における下流側ほど互いに接近する側へ傾動する。
【００１９】
ここで、各端フィンにおいて、上流連結ピン及び下流連結ピンは共通のアームに形成されている。そのため、上流連結ピン及び下流連結ピンが別々のアームに形成される場合に比べ、端フィンを作動させるための構造がより簡単になる。
【００２０】
上記空調用レジスタにおいて、各端フィンのフィン軸は、前記中間フィンのフィン軸よりも前記流れ方向における上流であって、同端フィンのフィン軸と、同端フィンの前記流れ方向における下流端との間隔よりも隣の前記中間フィンのフィン軸から遠い箇所に配置されていることが好ましい。
【００２１】
上記の構成によれば、フィン群の中立状態から連結プレートが上記配列方向の一方へ移動すると、その移動に連動して、両端フィンが、フィン軸を支点として、上記流れ方向における下流側ほど互いに接近する側へ傾動する。上記配列方向のうち、中間フィンのフィン軸よりも下流側部分が傾動する方向の前方に隣接する端フィンは、同中間フィンの傾動方向とは反対方向へ傾動する。上記傾動に伴い、上記端フィンのフィン軸よりも上記流れ方向における下流部分と、隣の中間フィンのフィン軸よりも上記流れ方向における下流部分とは互いに接近する。しかし、各端フィンのフィン軸が、中間フィンのフィン軸との関係で、上記の条件を満たす箇所に配置されると、各端フィンの上記下流部分と隣の中間フィンの上記下流部分との干渉が起こりにくい。
【００２２】
上記空調用レジスタにおいて、前記リテーナは、相対向する一対の第１対向壁部と、両第１対向壁部に対し交差した状態で相対向して、自身の端部において前記第１対向壁部の端部に連結された一対の第２対向壁部とを備え、両端フィン及び全ての前記中間フィンは、前記第１対向壁部及び前記第２対向壁部の一方に沿って配列され、前記端フィンの前記フィン軸は、前記流れ方向における同端フィンの上流端に設けられて、前記第１対向壁部と前記第２対向壁部との境界部分に支持されていることが好ましい。
【００２３】
上記の構成によれば、上記配列方向における両端に位置する端フィンは、上記流れ方向における同端フィンの上流端に設けられて、第１対向壁部と第２対向壁部との境界部分に支持されたフィン軸を支点として傾動される。そのため、フィン群の中立状態でも傾斜状態でも、第１対向壁部及び第２対向壁部のうち、端フィンに対し、上記配列方向に隣接するものと同端フィンとの間に生ずる隙間を小さくし、この隙間を空調用空気が流れるのを規制することが可能である。
【００２４】
上記空調用レジスタにおいて、前記リテーナは、相対向する一対の第１対向壁部と、両第１対向壁部に対し交差した状態で相対向して、自身の端部において前記第１対向壁部の端部に連結された一対の第２対向壁部とを備え、前記フィン群は、両端フィン及び全ての前記中間フィンが、前記流れ方向における前記吹出口の上流で、両第２対向壁部間で前記第１対向壁部に沿って配列された下流フィン群と、両端フィン及び全ての前記中間フィンが、前記流れ方向における前記下流フィン群よりも上流で、両第１対向壁部間で前記第２対向壁部に沿って配列された上流フィン群とからなり、前記上流連結ピンの前記上流カム溝に対する係合、及び前記下流連結ピンの前記下流カム溝に対する係合は、前記下流フィン群及び前記上流フィン群のうち、少なくとも前記上流フィン群においてなされていることが好ましい。
【００２５】
ここで、仮に、下流フィン群の端フィンが、上記流れ方向における下流側部分が上流側部分よりも隣の第２対向壁部に近づくように傾斜させられると、その端フィンに沿って流れる空調用空気は同第２対向壁部に当たって、流れ方向を変えられた後に吹出口から吹き出されるおそれがある。また、仮に、上流フィン群の端フィンが、上記流れ方向における下流側部分が上流側部分よりも隣の第１対向壁部に近づくように傾斜させられると、その端フィンに沿って流れる空調用空気は同第１対向壁部に当たって、流れ方向を変えられた後に吹出口から吹き出される。
【００２６】
こうした現象は、上流フィン群において下流フィン群におけるよりも起こりやすい。上流フィン群が下流フィン群よりも吹出口から上流側へ遠ざかった箇所に設けられるからである。下流フィン群の端フィンに沿って流れる空調用空気は、第２対向壁部に当たることなく吹出口から吹き出される可能性がある。しかし、上流フィン群の端フィンに沿って流れた空調用空気が、第１対向壁部に当たることなく吹出口から吹き出される可能性は低い。
【００２７】
従って、上記上流連結ピンの上流カム溝に対する係合、及び下流連結ピンの下流カム溝に対する係合が上流フィン群に適用されると、下流フィン群に適用される場合よりも指向性を向上させる点で大きな効果が得られる。
【発明の効果】
【００２８】
上記空調用レジスタによれば、吹出口から吹き出される空調用空気の指向性を向上させるための端フィンの動作を、少ない部品点数で、しかも簡単な構造で実現することができる。
【図面の簡単な説明】
【００２９】
【図１】一実施形態において、下流フィン群及び上流フィン群がともに中立状態にされた空調用レジスタの正面図。
【図２】図１の空調用レジスタの側面図。
【図３】図１の３−３線に沿った空調用レジスタの断面図。
【図４】一実施形態における上流リンク機構の構成部材を示す部分分解斜視図。
【図５】図１の空調用レジスタの平面図。
【図６】図１の６−６線に沿った空調用レジスタの断面図。
【図７】（ａ）は、一実施形態における下流リンク機構を説明する側面図、（ｂ），（ｃ）はそれぞれ図７（ａ）の一部を拡大して示す部分側面図。
【図８】（ａ）は、一実施形態における上流リンク機構を説明する平面図、（ｂ），（ｃ）はそれぞれ図８（ａ）の一部を拡大して示す部分平面図。
【図９】一実施形態において、操作ノブが可動範囲の右端に位置するときの空調用レジスタの状態を示す図であり、（ａ）は図５に対応する部分平面図、（ｂ）は図６に対応する部分平断面図。
【図１０】（ａ），（ｂ）は、一実施形態において、操作ノブが可動範囲の右端に位置するときの上流リンク機構の状態を示す部分平面図。
【図１１】（ａ），（ｂ）は、一実施形態において、操作ノブが可動範囲の左端に位置するときの上流リンク機構の状態を示す部分平面図。
【図１２】（ａ），（ｂ）は、一実施形態において、操作ノブが可動範囲の中央部と右端との中間部分に位置するときの上流リンク機構の状態を示す部分平面図。
【図１３】（ａ），（ｂ）は、一実施形態において、操作ノブが可動範囲の中央部と左端との中間部分に位置するときの上流リンク機構の状態を示す部分平面図。
【図１４】一実施形態において、操作ノブが通風路の中心軸線に対し傾斜させられたときの空調用レジスタの状態を示す図であり、（ａ）は図２に対応する部分側面図、（ｂ）は図３に対応する部分側断面図。
【図１５】（ａ）は、一実施形態において、操作ノブが通風路の中心軸線に対し傾斜させられたときの下流リンク機構の状態を示す側面図、（ｂ），（ｃ）はそれぞれ図１５（ａ）の一部を拡大して示す部分側面図。
【図１６】（ａ）は、変形例の上流リンク機構を示す平面図、（ｂ），（ｃ）はそれぞれ図１６（ａ）の一部を拡大して示す部分平面図。
【発明を実施するための形態】
【００３０】
以下、車両用の空調用レジスタに具体化した一実施形態について、図１〜図１５を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００３１】
車室内において、車両の前席（運転席及び助手席）の前方にはインストルメントパネルが設けられ、その左右方向における中央部、側部等には空調用レジスタが組み込まれている。この空調用レジスタの主な機能は、空調装置から送られてきて、車室内に吹き出される空調用空気の向きを変更すること等である。
【００３２】
図１、図３及び図６に示すように、空調用レジスタ１０は、リテーナ１１、下流フィン群Ｆ１、上流フィン群Ｆ２、操作ノブ３１及び伝達機構Ｂ１を備えている。次に、これら各部の構成について説明する。
【００３３】
＜リテーナ１１＞
リテーナ１１は、空調用レジスタ１０の外殻部分を構成する部分である。リテーナ１１は、空調装置の送風ダクト（図示略）に接続されるリテーナ本体１２と、ベゼル１９とを備えている。
【００３４】
リテーナ本体１２は、両端が開放された筒状をなしている。リテーナ本体１２の内部空間は、空調用空気Ａ１の流路である通風路１３を構成している。ここで、空調用空気Ａ１の流れ方向に関し、空調装置に近い側を「上流」、「上流側」等といい、同空調装置から遠い側を「下流」、「下流側」等というものとする。
【００３５】
リテーナ本体１２は、複数の部材を備え、これらの部材を相互に連結することによって構成されている。リテーナ本体１２の上流側の開放端は、空調装置から送風ダクトを介して送られてきた空調用空気Ａ１の流入口１４を構成している。
【００３６】
リテーナ本体１２は、左右方向に相対向する一対の第１対向壁部１５と、両第１対向壁部１５に対し交差する方向である上下方向に相対向する一対の第２対向壁部１７とを備えている。各第２対向壁部１７の左右方向の端部は、第１対向壁部１５の上下方向の端部に連結されている。
【００３７】
各第２対向壁部１７は、自身の下流部であって吹出口２１の上流に凹部１８を有している。両第２対向壁部１７において、凹部１８の設けられた箇所では、同凹部１８の上流側に隣接する箇所よりも、上下方向の間隔が広くなっている。
【００３８】
また、各第１対向壁部１５は、上記凹部１８よりも上流側に凹部１６を有している。両第１対向壁部１５において、凹部１６の設けられた箇所では、同凹部１６の上流側に隣接する箇所よりも、左右方向の間隔が広くなっている。
【００３９】
ベゼル１９は、リテーナ１１の下流端部を構成する部材である。ベゼル１９は、空調用空気Ａ１の吹出口２１を有している。吹出口２１は、上下方向よりも左右方向に細長い横長の長方形状をなしている。ベゼル１９の下流側の面であって、吹出口２１の周りの部分は、空調用レジスタ１０の意匠面を構成している。
【００４０】
＜下流フィン群Ｆ１＞
図３及び図１４（ｂ）に示すように、下流フィン群Ｆ１は、吹出口２１から吹き出される空調用空気Ａ１の上下方向の向きを変更するためのものである。下流フィン群Ｆ１は、第１対向壁部１５に沿って互いに上下方向に離間した状態で通風路１３に配列された複数のフィンからなる。これらのフィンは、上下方向の両端に配置された一対の端フィン２２と、両端フィン２２間に配置された複数の中間フィン２３とからなる。
【００４１】
両端フィン２２及び各中間フィン２３は、それぞれ、左右方向及び上記流れ方向に延びる板状のフィン本体２４を備えている。中間フィン２３におけるフィン本体２４の上記流れ方向の寸法は、中間フィン２３間で略同一に設定されている。全ての中間フィン２３のフィン本体２４は、上記流れ方向については互いに略同一の箇所に配置されている。また、中間フィン２３におけるフィン本体２４は、上下方向については、略等間隔で互いに略平行に離間した状態で配置されている。各端フィン２２におけるフィン本体２４としては、上記流れ方向の寸法が、上記中間フィン２３におけるフィン本体２４の同方向の寸法よりも僅かに短いものが用いられている。
【００４２】
両端フィン２２及び全部の中間フィン２３のそれぞれは、フィン本体２４の左右両端部にフィン軸２５を備えており、これらのフィン軸２５において、両第１対向壁部１５に傾動可能に支持されている。各中間フィン２３のフィン軸２５は、フィン本体２４の下流部に位置している。上記流れ方向における中間フィン２３のフィン軸２５の位置は、中間フィン２３間で略同一である。
【００４３】
ここで、中間フィン２３が通風路１３の中心軸線ＣＬに対し平行になる状態を、下流フィン群Ｆ１の中立状態といい、同中心軸線ＣＬに対し傾斜する状態を、下流フィン群Ｆ１の傾斜状態というものとする。
【００４４】
各端フィン２２のフィン軸２５は、同端フィン２２の上流端に設けられている。各端フィン２２のフィン軸２５は、中間フィン２３のフィン軸２５よりも上流であって、同端フィン２２のフィン軸２５と下流端との間隔Ｄ１よりも、隣の中間フィン２３のフィン軸２５から遠い箇所に配置されている。本実施形態では、各端フィン２２のフィン軸２５は、上記流れ方向については、下流フィン群Ｆ１が中立状態にされたときの中間フィン２３におけるフィン本体２４の上流端と略同一の箇所に配置されている。各端フィン２２のフィン軸２５は、全体を上記凹部１８に位置させた状態で、各第１対向壁部１５の第２対向壁部１７との境界部分、すなわち、各第１対向壁部１５の上端部又は下端部に支持されている。
【００４５】
＜上流フィン群Ｆ２＞
図６及び図９（ｂ）に示すように、上流フィン群Ｆ２は、吹出口２１から吹き出される空調用空気Ａ１の左右方向の向きを変更するためのものであり、上記下流フィン群Ｆ１よりも上流に配置されている。上流フィン群Ｆ２は、第２対向壁部１７に沿って、互いに左右方向に離間した状態で通風路１３に配列された複数のフィンからなる。これらのフィンは、左右方向の両端に配置された一対の端フィン２６と、両端フィン２６間に配置された複数の中間フィン２７とからなる。
【００４６】
両端フィン２６及び全ての中間フィン２７は、それぞれ、上下方向及び上記流れ方向に延びる板状のフィン本体２８を備えている。中間フィン２７におけるフィン本体２８の上記流れ方向の寸法は、中間フィン２７間で略同一に設定されている。全ての中間フィン２７のフィン本体２８は、上記流れ方向については互いに略同一の箇所に配置されている。また、中間フィン２７におけるフィン本体２８は、左右方向については、略等間隔で互いに略平行に離間した状態で配置されている。各端フィン２６におけるフィン本体２８としては、上記流れ方向の寸法が、上記中間フィン２７におけるフィン本体２８の同方向の寸法よりも短いものが用いられている。本実施形態では、各端フィン２６におけるフィン本体２８として、中間フィン２７におけるフィン本体２８の半分程度の寸法を有するものが用いられている。
【００４７】
両端フィン２６及び全ての中間フィン２７のそれぞれは、フィン本体２８の上下両端部にフィン軸２９を備えており、これらのフィン軸２９において、両第２対向壁部１７に傾動可能に支持されている。各中間フィン２７のフィン軸２９は、フィン本体２８の上記流れ方向における中央部分に位置している。上記流れ方向における中間フィン２７のフィン軸２９の位置は、中間フィン２７間で略同一である。
【００４８】
ここで、中間フィン２７が上記中心軸線ＣＬに対し平行になる状態を、上流フィン群Ｆ２の中立状態といい、同中心軸線ＣＬに対し傾斜する状態を、上流フィン群Ｆ２の傾斜状態というものとする。
【００４９】
各端フィン２６のフィン軸２９は、同端フィン２６の上流端に設けられている。各端フィン２６のフィン軸２９は、中間フィン２７のフィン軸２９よりも上流であって、同端フィン２６のフィン軸２９と下流端との間隔Ｄ２よりも、隣の中間フィン２７のフィン軸２９から遠い箇所に配置されている。本実施形態では、各端フィン２６のフィン軸２９は、上記流れ方向については、上流フィン群Ｆ２が中立状態にされたときの中間フィン２７におけるフィン本体２８の上流端と略同一箇所に配置されている。各端フィン２６のフィン軸２９は、全体を上記凹部１６に位置させた状態で、各第２対向壁部１７の第１対向壁部１５との境界部分、すなわち、各第２対向壁部１７の左端部又は右端部に支持されている。
【００５０】
＜操作ノブ３１＞
図３及び図６に示すように、操作ノブ３１は、吹出口２１からの空調用空気Ａ１の吹出し方向を変更する際に乗員によって操作される部材である。操作ノブ３１は、上下方向における中央部分の中間フィン２３のフィン本体２４に対し、左右方向へスライド可能に装着されている。
【００５１】
＜伝達機構Ｂ１＞
伝達機構Ｂ１は、操作ノブ３１のスライド動作を、左右方向における中央部分の中間フィン２７に伝達して、フィン軸２９を支点として同中間フィン２７を傾動させるための機構である。上記中央部分の中間フィン２７におけるフィン本体２８の下流部には、他の中間フィン２７におけるフィン本体２８とは異なり、切欠き部３３が形成されている。切欠き部３３の形成に伴い、フィン本体２８の下流端部には、上下方向へ延びる伝達軸部３４が形成されている。操作ノブ３１には、二股状に分岐されたフォーク３２が連結されている。フォーク３２は、左右方向へ互いに離間した状態で、上流へ延びており、上記伝達軸部３４を左右両側から挟み込んでいる。
【００５２】
空調用レジスタ１０は、さらに下流リンク機構ＬＭ１及び上流リンク機構ＬＭ２を備えている。
図２及び図６に示すように、下流リンク機構ＬＭ１は、下流フィン群Ｆ１における両端フィン２２及び全ての中間フィン２３を同期させた状態で傾動させるための機構である。下流リンク機構ＬＭ１は、下流フィン群Ｆ１の中立状態では、図３に示すように、両端フィン２２を中心軸線ＣＬに対し平行な状態にする。また、下流リンク機構ＬＭ１は、上流フィン群Ｆ２の傾斜状態では、図１４（ｂ）に示すように、両端フィン２２を下流側ほど上下方向に互いに接近するように、表現を変えると、隣の第２対向壁部１７から遠ざかるように、中心軸線ＣＬに対し傾斜させる。
【００５３】
図３及び図５に示すように、上流リンク機構ＬＭ２は、上流フィン群Ｆ２における両端フィン２６及び全ての中間フィン２７を同期させた状態で傾動させるための機構である。上流リンク機構ＬＭ２は、上流フィン群Ｆ２の中立状態では、図６に示すように、両端フィン２６を上記中心軸線ＣＬに対し平行な状態にする。また、上流リンク機構ＬＭ２は、上流フィン群Ｆ２の傾斜状態では、図９（ｂ）に示すように、両端フィン２６を下流側ほど左右方向に互いに接近するように、表現を変えると、隣の第１対向壁部１５から遠ざかるように、上記中心軸線ＣＬに対し傾斜させる。
【００５４】
上流リンク機構ＬＭ２及び下流リンク機構ＬＭ１は互いに同様の構造を有している。そのため、ここでは、上流リンク機構ＬＭ２について詳細に説明する。下流リンク機構ＬＭ１において上流リンク機構ＬＭ２と共通する事項については説明を省略し、相違する事項を中心に説明する。
【００５５】
また、上流リンク機構ＬＭ２の構成部材については、符号として「数字」＋「Ｕ」を使用し、下流リンク機構ＬＭ１の構成部材については、符号として「数字」＋「Ｄ」を使用することで、上流リンク機構ＬＭ２の構成部材と下流リンク機構ＬＭ１の構成部材とを区別する。なお、「数字」としては、上流リンク機構ＬＭ２と下流リンク機構ＬＭ１とで共通の値を用いるものとする。
【００５６】
＜上流リンク機構ＬＭ２＞
図３、図５及び図９（ａ）に示すように、上流フィン群Ｆ２における全ての上側のフィン軸２９は、上側の第２対向壁部１７よりも上方へ突出しており、この突出部分からは、アーム４１Ｕ，４３Ｕが延びている。
【００５７】
各中間フィン２７におけるアーム４１Ｕは、フィン軸２９を起点として、同フィン軸２９に対し、径方向に交差する方向へ延びている。上流フィン群Ｆ２の中立状態では、各中間フィン２７におけるアーム４１Ｕは、上流へ向けて、フィン本体２８に対し平行な状態で延びている（図８（ａ）参照）。各中間フィン２７のアーム４１Ｕにおいて、フィン軸２９とは反対側の端部からは、連結ピン４２Ｕが上方へ向けて突出している。
【００５８】
これに対し、各端フィン２６におけるアーム４３Ｕは、図４、図５及び図９（ａ）に示すように、フィン軸２９を起点として、同フィン軸２９に対し径方向に交差する方向のうち、互いに反対方向へ延びている。上流フィン群Ｆ２の中立状態では、各端フィン２６におけるアーム４３Ｕは、フィン軸２９から上流と下流とに向けて、フィン本体２８に対し平行な状態で延びている。各端フィン２６のアーム４３Ｕにおいてフィン軸２９を挟み、かつ互いに同フィン軸２９から反対方向に離れた箇所からは、連結ピンが上方へ向けて突出している。端フィン２２毎の一対の連結ピンは、フィン軸２９よりも上流に位置する上流連結ピン４４Ｕと、下流に位置する下流連結ピン４５Ｕとからなる。
【００５９】
上流リンク機構ＬＭ２は、中間フィン２７毎の連結ピン４２Ｕと、端フィン２２毎の上流連結ピン４４Ｕ及び下流連結ピン４５Ｕとを連結する連結プレート４６Ｕを備えている。連結プレート４６Ｕは左右方向に細長い板状をなしており、上側の第２対向壁部１７の上方近傍に配置されている（図３参照）。連結プレート４６Ｕにおける左右両側部を除く中間部分には、係合孔４７Ｕが左右方向に一定間隔毎に形成されている。そして、これらの係合孔４７Ｕに対し、中間フィン２７の連結ピン４２Ｕが下方から係合されている。これらの係合により、全ての中間フィン２７における連結ピン４２Ｕは、連結プレート４６Ｕを介して相互に連結されている。
【００６０】
連結プレート４６Ｕの左右両側部には、上流連結ピン４４Ｕが係合される上流カム溝４８Ｕと、下流連結ピン４５Ｕが係合される下流カム溝５１Ｕとがそれぞれ形成されている。
【００６１】
図４及び図８（ａ）〜（ｃ）に示すように、各下流カム溝５１Ｕは、湾曲部５２Ｕ及び屈曲部５３Ｕを備えている。両湾曲部５２Ｕは、上流フィン群Ｆ２の中立状態で下流連結ピン４５Ｕが係合される箇所を起点として互いに接近する側へ延びている。各湾曲部５２Ｕは、下流側へ膨らむように湾曲している。各屈曲部５３Ｕは、上流フィン群Ｆ２の中立状態で下流連結ピン４５Ｕが係合する箇所から、上流側へ延びている。
【００６２】
両上流カム溝４８Ｕは、上流フィン群Ｆ２の中立状態で上流連結ピン４４Ｕが係合される箇所を起点として互いに遠ざかる側へ延びている。各上流カム溝４８Ｕは、上流側へ緩やかに膨らむように湾曲している。本実施形態では、上流カム溝４８Ｕは、上記下流カム溝５１Ｕの湾曲部５２Ｕよりも小さな曲率で湾曲しており、略直線状をなしている。
【００６３】
＜下流リンク機構ＬＭ１＞
図２及び図７（ａ）〜（ｃ）に示すように、下流リンク機構ＬＭ１は、アーム４１Ｄ，４３Ｄ、連結ピン４２Ｄ、上流連結ピン４４Ｄ、下流連結ピン４５Ｄ及び連結プレート４６Ｄを備えている。連結プレート４６Ｄは、係合孔４７Ｄ、上流カム溝４８Ｄ及び下流カム溝５１Ｄを有している。各下流カム溝５１Ｄは、湾曲部５２Ｄ及び屈曲部５３Ｄを有している。
【００６４】
図２、図７（ａ）〜（ｃ）及び図９（ａ）に示すように、下流フィン群Ｆ１における全ての右側のフィン軸２５は、右側の第１対向壁部１５よりも右方へ突出しており、この突出部分からは、アーム４１Ｄ，４３Ｄが上流へ向けて延びている。連結ピン４２Ｄは、アーム４１Ｄから右方へ突出している。上流連結ピン４４Ｄ及び下流連結ピン４５Ｄは、アーム４３Ｄから右方へ突出している。
【００６５】
連結プレート４６Ｄは上下方向に細長い板状をなしており、右側の第１対向壁部１５の右側方近傍に配置されている（図９（ｂ）参照）。係合孔４７Ｄは、連結プレート４６Ｄにおける上下両側部を除く中間部分において、上下方向に一定間隔毎に形成されている。各中間フィン２３の連結ピン４２Ｄは、これらの係合孔４７Ｄに対し左方から係合されている。
【００６６】
上流カム溝４８Ｄ及び下流カム溝５１Ｄの組合せは、連結プレート４６Ｄの上下両側部にそれぞれ形成されている。
次に、上記のように構成された本実施形態の作用について説明する。また、作用に伴い生ずる効果についても併せて説明する。
【００６７】
なお、上述したように、上流フィン群Ｆ２と下流フィン群Ｆ１とは、互いに同様の構成を有している。また、上流リンク機構ＬＭ２と下流リンク機構ＬＭ１とは、互いに同様の構成を有している。そのため、上流リンク機構ＬＭ２が適用された上流フィン群Ｆ２と、下流リンク機構ＬＭ１が適用された下流フィン群Ｆ１とは互いに同様に動作する。
【００６８】
従って、ここでは、上流リンク機構ＬＭ２による上流フィン群Ｆ２の動作を中心に、空調用レジスタ１０の作用及び効果について説明する。下流リンク機構ＬＭ１による下流フィン群Ｆ１の動作については、簡単に説明する。
【００６９】
＜上流フィン群Ｆ２の中立状態＞
図１、図６及び図８（ａ）〜（ｃ）に示すように、操作ノブ３１が、中間フィン２３の左右方向における可動範囲の中央部に位置すると、上流フィン群Ｆ２は中立状態にされる。各中間フィン２７のフィン本体２８は、上記中心軸線ＣＬに対し平行にされる。各端フィン２６の上流連結ピン４４Ｕが上流カム溝４８Ｕの起点に係合されるとともに、下流連結ピン４５Ｕが下流カム溝５１Ｕの起点、より詳しくは、湾曲部５２Ｕと屈曲部５３Ｕとの境界部分に係合される。両端フィン２６のフィン本体２８は、いずれも上記中心軸線ＣＬに対し平行にされる。従って、通風路１３の左右方向における中間部では、空調用空気Ａ１が中間フィン２７のフィン本体２８に沿って流れ、両側部では、空調用空気Ａ１が端フィン２６のフィン本体２８に沿って流れる。空調用空気Ａ１は、吹出口２１から下流側へ向けて真っ直ぐ吹き出される。
【００７０】
＜上流フィン群Ｆ２の傾斜状態＞
上流フィン群Ｆ２の中立状態から操作ノブ３１が左右方向のいずれか一方、例えば、図８（ａ）〜（ｃ）、図９（ａ），（ｂ）及び図１２（ａ），（ｂ）に示すように、右方へスライド操作されると、その動きがフォーク３２を介して伝達軸部３４に伝達される。伝達軸部３４に対し、右方へ向かう力が作用する。そのため、伝達軸部３４を有する中間フィン２７は、自身のフィン軸２９を支点として、平面視で反時計回り方向へ傾動される。この傾動に伴い、アーム４１Ｕを介してフィン軸２９に連結された連結ピン４２Ｕがフィン軸２９の周りを、平面視で反時計回り方向へ旋回する。連結プレート４６Ｕが、上流側へ緩やかに膨らむように湾曲する経路に沿いながら、左方へ移動する。この連結プレート４６Ｕの動きは、他の中間フィン２７における連結ピン４２Ｕ及びアーム４１Ｕを介して、同他の中間フィン２７に伝達される。他の中間フィン２７は、フィン軸２９を支点として、上記伝達軸部３４を有する中間フィン２７と同一方向へ傾動される。このようにして、全ての中間フィン２７は、フィン軸２９よりも下流側部分が上流側部分よりも右側に位置するように、上記中心軸線ＣＬに対し傾斜する（図９（ｂ）、図１２（ａ），（ｂ）参照）。
【００７１】
また、連結プレート４６Ｕの上記左方への移動に伴い、図９（ａ）に示すように、両上流カム溝４８Ｕ及び両下流カム溝５１Ｕも同方向へ移動する。
両上流カム溝４８Ｕ及び両下流カム溝５１Ｕのうち、起点から連結プレート４６Ｕの移動方向とは反対傾向の方向へ延びるカム溝は、上流連結ピン４４Ｕ及び下流連結ピン４５Ｕのうち、同カム溝の起点に係合している連結ピンを上記方向へ押圧しない。
【００７２】
上述したように、連結プレート４６Ｕは左方へ移動する。起点から右方へ延びるカム溝は、右側の上流カム溝４８Ｕ及び左側の下流カム溝５１Ｕである。右側の上流カム溝４８Ｕは、右側の端フィン２６の上流連結ピン４４Ｕを左方へ押圧しない。また、左側の下流カム溝５１Ｕは、左側の端フィン２６の下流連結ピン４５Ｕを左方へ押圧しない。
【００７３】
これに対し、上流カム溝４８Ｕ及び下流カム溝５１Ｕのうち、起点から連結プレート４６Ｕの移動方向と同一傾向の方向へ延びるカム溝は、上流連結ピン４４Ｕ及び下流連結ピン４５Ｕのうち、同カム溝の起点に係合している連結ピンを上記方向へ押圧する。
【００７４】
起点から連結プレート４６Ｕの移動方向と同一方向である左方へ延びるカム溝は、右側の下流カム溝５１Ｕと、左側の上流カム溝４８Ｕである。右側の下流カム溝５１Ｕは、右側の端フィン２６の下流連結ピン４５Ｕを左方へ押圧する。左側の上流カム溝４８Ｕは、左側の端フィン２６の上流連結ピン４４Ｕを左方へ押圧する。
【００７５】
カム溝によって押圧された連結ピンは、アーム４３Ｕを介してフィン軸２９に連結されているため、押圧されない連結ピンとともに、フィン軸２９の周りを旋回する。カム溝によって押圧されない連結ピンのカム溝における位置は、図１２（ａ），（ｂ）及び図１０（ａ），（ｂ）に示すように、上記旋回に伴い、起点とは反対側の端部へ向けて変化する。
【００７６】
起点から連結プレート４６Ｕの移動方向と同一傾向の方向へ延びるカム溝が上流カム溝４８Ｕであって、その上流カム溝４８Ｕに対し上流連結ピン４４Ｕが係合している左側の端フィン２６は、フィン軸２９よりも上流側の部分が上記移動方向と同一傾向の方向へ移動し、かつ下流側の部分が上記移動方向とは反対傾向の方向へ移動するように傾動する。すなわち、図１２（ａ）及び図１０（ａ）に示すように、左側の端フィン２６は、平面視で反時計回り方向へ傾動する。この傾動方向は、左側の端フィン２６が下流側ほど右側の端フィン２６に接近する方向である。上記傾動により、左側の端フィン２６の中心軸線ＣＬに対しなす角度が、採り得る最大になると、図１０（ａ）に示すように、同左側の端フィン２６では、上流連結ピン４４Ｕが上流カム溝４８Ｕの起点に位置し、下流連結ピン４５Ｕが湾曲部５２Ｕの起点とは反対側の端部に位置する。
【００７７】
起点から連結プレート４６Ｕの移動方向と同一方向へ延びるカム溝が下流カム溝５１Ｕであって、その下流カム溝５１Ｕに対し下流連結ピン４５Ｕが係合している右側の端フィン２６は、フィン軸２９よりも上流側の部分が上記移動方向とは反対傾向の方向へ移動し、かつ下流側の部分が上記移動方向と同一傾向の方向へ移動するように傾動する。すなわち、図１２（ｂ）及び図１０（ｂ）に示すように、右側の端フィン２６は、平面視で時計回り方向へ傾動する。この傾動方向は、右側の端フィン２６が下流側ほど左側の端フィン２６に接近する方向である。上記傾動により、右側の端フィン２６の中心軸線ＣＬに対しなす角度が、採り得る最大になると、図１０（ｂ）に示すように、同右側の端フィン２６では、上流連結ピン４４Ｕが上流カム溝４８Ｕの起点とは反対側の端部に位置し、下流連結ピン４５Ｕが屈曲部５３Ｕにおける起点から遠い側の端部に位置する。
【００７８】
このように、操作ノブ３１の右方へのスライド操作に伴い連結プレート４６Ｕが左方へ移動することで、起点から連結プレート４６Ｕの移動方向と同一傾向の方向へ延びるカム溝が上流カム溝４８Ｕである場合にも、下流カム溝５１Ｕである場合にも、それらのカム溝に連結ピンが係合された両端フィン２６は、下流側ほど互いに接近する側へ傾動する。
【００７９】
このときには、図９（ｂ）に示すように、左側の端フィン２６は、上記中心軸線ＣＬに対し、中間フィン２７の傾斜方向と同一方向に傾斜する。そのため、通風路１３の左側部を流れる空調用空気Ａ１は、左側の端フィン２６とその右隣の中間フィン２７とに沿って流れた後、吹出口２１から吹き出される。
【００８０】
また、右側の端フィン２６は、上記中心軸線ＣＬに対し、中間フィン２７の傾斜方向と反対傾向の方向に傾斜する。そのため、通風路１３の右側部を流れる空調用空気Ａ１は、右側の端フィン２６に沿って流れることで、左隣の中間フィン２７に当たって、流れ方向を、同中間フィン２７に沿う方向に変更される。従って、上記空調用空気Ａ１は、中間フィン２７と同一方向へ流れた後に、吹出口２１から吹き出される。
【００８１】
上記のようにして、通風路１３の左側部を流れる空調用空気Ａ１も右側部を流れる空調用空気Ａ１も、中間部を流れる空調用空気Ａ１と同一方向へ吹き出されるため、指向性が高められる。
【００８２】
すなわち、仮に、上流フィン群Ｆ２の傾斜状態で、左側の端フィン２６が中心軸線ＣＬに対し平行になると、その端フィン２６に沿って流れる空調用空気Ａ１は吹出口２１から、上記流れ方向における下流側へ真っ直ぐ吹き出される。その分、吹出口２１から、中間フィン２７の傾斜方向と同一方向へ吹き出される空調用空気Ａ１の量が少なくなる。
【００８３】
しかし、本実施形態では、上述したように、左側の端フィン２６は、上記中心軸線ＣＬに対し、中間フィン２７の傾斜方向と同一方向に傾斜する。そのため、左側の端フィン２６が上述したように中心軸線ＣＬに対し平行になる場合に比べて、吹出口２１から、中間フィン２７の傾斜方向と同一方向へ吹き出される空調用空気Ａ１の量が多くなって、指向性が高められる。
【００８４】
また、仮に、上流フィン群Ｆ２の傾斜状態で、右側の端フィン２６が中間フィン２７と同一方向へ傾動すると、通風路１３の右側部を流れる空調用空気Ａ１は、上記右側の端フィン２６に沿って流れることで、右側の第１対向壁部１５に当たって、流れ方向を変えられた後に吹出口２１から下流側へ吹き出される。その分、吹出口２１から、中間フィン２７の傾斜方向と同一方向へ吹き出される空調用空気Ａ１の量が少なくなる。
【００８５】
この点、本実施形態では、上述したように、上流フィン群Ｆ２の傾斜状態で右側の端フィン２６が、上記中心軸線ＣＬに対し、中間フィン２７の傾斜方向と反対傾向の方向に傾斜する。そのため、右側の端フィン２６が中間フィン２７と同一方向へ傾動する場合に比べて、吹出口２１から、中間フィン２７の傾斜方向と同一方向へ吹き出される空調用空気Ａ１の量が多くなって、指向性が高められる。
【００８６】
なお、中間フィン２７に当たって流れ方向を変更された空調用空気Ａ１が、第１対向壁部１５に当たって流れ方向を変えられたとしても、その量は、上記のように、中間フィン２７と同一方向へ傾動する右側の端フィン２６に沿って流れた空調用空気Ａ１が、第１対向壁部１５に当たって流れ方向を変えられた場合よりも少ない。右側の端フィン２６よりも、その左隣の中間フィン２７の方が、右側の第１対向壁部１５から遠いためである。そのため、上流フィン群Ｆ２の傾斜状態で、右側の端フィン２６が中間フィン２７と同一方向へ傾動する場合に比べて、吹出口２１から、中間フィン２７の傾斜方向と同一方向へ吹き出される空調用空気Ａ１の量が多くなって、指向性が高められる。
【００８７】
なお、上流フィン群Ｆ２の傾斜状態から、操作ノブ３１が左方へスライド操作されると、上流リンク機構ＬＭ２の各構成部材は、上記のように操作ノブ３１が右方へスライド操作された場合とは逆方向に作動する。操作ノブ３１が図５及び図６に示すように、中間フィン２３の左右方向における可動範囲の中央部に到達すると、全ての中間フィン２７及び両端フィン２６が上記中心軸線ＣＬに対し平行な状態になって、上流フィン群Ｆ２が中立状態に戻る。
【００８８】
一方、上流フィン群Ｆ２の中立状態から操作ノブ３１が左方へスライド操作されると、伝達軸部３４を有する中間フィン２７が、自身のフィン軸２９を支点として、平面視で時計回り方向へ傾動され、連結プレート４６Ｕが右方へ移動する。この連結プレート４６Ｕの移動に伴い、他の中間フィン２７が、フィン軸２９を支点として、上記伝達軸部３４を有する中間フィン２７と同一方向へ傾動される。このようにして、全ての中間フィン２７は、フィン軸２９よりも下流側部分が上流側部分よりも左側に位置するように、上記中心軸線ＣＬに対し傾斜する。
【００８９】
上流リンク機構ＬＭ２の各構成部材は、上述したように操作ノブ３１が右方へスライド操作されたときとは逆の方向へ作動する。図１３（ａ），（ｂ）及び図１１（ａ），（ｂ）に示すように、起点から連結プレート４６Ｕの移動方向と同一方向へ延びるカム溝が上流カム溝４８Ｕである場合にも、下流カム溝５１Ｕである場合にも、それらのカム溝に連結ピンが係合された両端フィン２６は、下流側ほど互いに接近する側へ傾動する。
【００９０】
上記傾動により、左側の端フィン２６の中心軸線ＣＬに対しなす角度が、採り得る最大になると、図１１（ａ）に示すように、同左側の端フィン２６では、上流連結ピン４４Ｕが上流カム溝４８Ｕの起点とは反対側の端部に位置し、下流連結ピン４５Ｕが屈曲部５３Ｕにおける起点から遠い側の端部に位置する。また、右側の端フィン２６の中心軸線ＣＬに対しなす角度が、採り得る最大になると、図１１（ｂ）に示すように、同右側の端フィン２６では、上流連結ピン４４Ｕが上流カム溝４８Ｕの起点に位置し、下流連結ピン４５Ｕが湾曲部５２Ｕの起点とは反対側の端部に位置する。
【００９１】
従って、この場合にも、通風路１３の左側部を流れる空調用空気Ａ１も右側部を流れる空調用空気Ａ１も、中間部を流れる空調用空気Ａ１と同一方向へ吹き出され、指向性が高められる。
【００９２】
なお、上流フィン群Ｆ２の傾斜状態から、操作ノブ３１が右方へスライド操作されると、上流リンク機構ＬＭ２の構成部材が、上記のように操作ノブ３１が左方へスライド操作された場合とは逆方向に作動する。図６に示すように、操作ノブ３１が中間フィン２３の左右方向における可動範囲の中央部に到達すると、全ての中間フィン２７及び両端フィン２６が上記中心軸線ＣＬに対し平行な状態になって、上流フィン群Ｆ２が中立状態に戻る。
【００９３】
ところで、両端フィン２６の上記動作は、上述したように、連結プレート４６Ｕの移動に伴い、上流カム溝４８Ｕ及び下流カム溝５１Ｕを変位させて、上流カム溝４８Ｕにおける上流連結ピン４４Ｕの係合位置を変化させるとともに、下流カム溝５１Ｕにおける下流連結ピン４５Ｕの係合位置を変化させるといった、簡単な構造で実現される。しかも、連結プレート４６Ｕは、全ての中間フィン２７を同期した状態で傾動させるために、もともと空調用レジスタ１０の構成部材として用いられているものである。そのため、両端フィン２６の上記動作を実現するために、新たに部品を追加しなくてすむ。
【００９４】
＜下流フィン群Ｆ１の中立状態＞
図１及び図３に示すように、操作ノブ３１が、吹出口２１の上下方向における中央部分に位置させられることで上記中心軸線ＣＬに対し平行な状態にされると、下流フィン群Ｆ１は中立状態にされる。各中間フィン２３のフィン本体２４は、上記中心軸線ＣＬに対し平行にされる。図７（ａ）〜（ｃ）に示すように、各端フィン２２の上流連結ピン４４Ｄが上流カム溝４８Ｄの起点に係合されるとともに、下流連結ピン４５Ｄが下流カム溝５１Ｄの起点、より詳しくは、湾曲部５２Ｄと屈曲部５３Ｄとの境界部分に係合される。両端フィン２２は、いずれも上記中心軸線ＣＬに対し平行にされる。従って、図３に示すように、通風路１３の上下方向における中間部では空調用空気Ａ１が各中間フィン２３に沿って流れ、両側部では空調用空気Ａ１が、両端フィン２２に沿って流れる。空調用空気Ａ１は、吹出口２１から下流側へ向けて真っ直ぐ吹き出される。
【００９５】
＜下流フィン群Ｆ１の傾斜状態＞
下流フィン群Ｆ１の中立状態から操作ノブ３１に対し、上下方向のいずれか一方、例えば上方へ向かう力が加えられると、その力が、同操作ノブ３１が装着された中間フィン２３に伝達される。図１４（ａ），（ｂ）及び図１５（ａ）〜（ｃ）に示すように、操作ノブ３１の装着された中間フィン２３が、自身のフィン軸２５を支点として、下流側ほど高くなるように傾動される。この傾動に伴い、アーム４１Ｄを介してフィン軸２５に連結された連結ピン４２Ｄがフィン軸２５の周りを、下方へ旋回する。連結プレート４６Ｄが、上流側へ緩やかに膨らむように湾曲する経路に沿いながら、下方へ移動する。この連結プレート４６Ｄの動きは、他の中間フィン２３における連結ピン４２Ｄ及びアーム４１Ｄを介して、同他の中間フィン２３に伝達される。他の中間フィン２３は、フィン軸２５を支点として、操作ノブ３１の装着された中間フィン２３と同一方向へ傾動される。このようにして、全ての中間フィン２３は、下流側ほど高くなるように、上記中心軸線ＣＬに対し傾斜する。
【００９６】
図７（ｂ），（ｃ）に示すように、上側の上流カム溝４８Ｄは、上側の端フィン２２の上流連結ピン４４Ｄを下方へ押圧しない。下側の下流カム溝５１Ｄは、下側の端フィン２２の下流連結ピン４５Ｄを下方へ押圧しない。これに対し、上側の下流カム溝５１Ｄは、上側の端フィン２２の下流連結ピン４５Ｄを下方へ押圧する。下側の上流カム溝４８Ｄは、下側の端フィン２２の上流連結ピン４４Ｄを下方へ押圧する。
【００９７】
図１５（ｂ），（ｃ）に示すように、下側の端フィン２２は、下流側ほど高くなるように傾動し、上側の端フィン２２は、下流側ほど低くなるように傾動する。このように、操作ノブ３１の上方への移動に伴い連結プレート４６Ｄが下方へ移動することで、両端フィン２６は、下流側ほど上下方向に互いに接近する側へ傾動する。
【００９８】
このときには、図１４（ｂ）に示すように、下側の端フィン２２は、上記中心軸線ＣＬに対し、中間フィン２３の傾斜方向と同一方向に傾斜する。そのため、通風路１３の下側部を流れる空調用空気Ａ１は、下側の端フィン２２とその上隣の中間フィン２３とに沿って、斜め上方へ流れた後、吹出口２１から吹き出される。
【００９９】
また、上側の端フィン２２は、上記中心軸線ＣＬに対し、中間フィン２３の傾斜方向と反対傾向の方向に傾斜する。そのため、通風路１３の上側部を流れる空調用空気Ａ１は、上側の端フィン２２に沿って流れることで、下隣の中間フィン２３に当たって、流れ方向を、同中間フィン２３に沿う方向に変更される。従って、空調用空気Ａ１は、中間フィン２３と同一方向である斜め上方へ流れた後に、吹出口２１から吹き出される。
【０１００】
上記のようにして、通風路１３の下側部を流れる空調用空気Ａ１も上側部を流れる空調用空気Ａ１も、中間部を流れる空調用空気Ａ１と同一方向へ吹き出されるため、指向性が高められる。
【０１０１】
なお、上記上流フィン群Ｆ２の傾斜状態から、操作ノブ３１に対し、下方へ向かう力が加えられると、下流リンク機構ＬＭ１の各構成部材が、上記のように操作ノブ３１に対し、上方へ向かう力が加えられた場合とは逆方向に作動する。操作ノブ３１が中心軸線ＣＬに対し平行にされると、全ての中間フィン２３及び両端フィン２２が、図３に示すように、上記中心軸線ＣＬに対し平行な状態になって、下流フィン群Ｆ１が中立状態に戻る。
【０１０２】
一方、下流フィン群Ｆ１の中立状態から操作ノブ３１に対し下方へ向かう力が加えられると、同操作ノブ３１が装着された中間フィン２３が、自身のフィン軸２５を支点として、下流側ほど低くなるように傾動され、連結プレート４６Ｄが上方へ移動する。この連結プレート４６Ｄの移動に伴い、他の中間フィン２３が、フィン軸２５を支点として、操作ノブ３１の装着された上記中間フィン２３と同一方向へ傾動される。このようにして、全ての中間フィン２３は、下流側ほど低くなるように、上記中心軸線ＣＬに対し傾斜する。
【０１０３】
また、下流リンク機構ＬＭ１の各構成部材が、上記のように、操作ノブ３１に対し上方へ向かう力が加えられた場合とは逆の方向へ作動する。両端フィン２２は、下流側ほど互いに接近する側へ傾動する。従って、この場合にも、通風路１３の上側部を流れる空調用空気Ａ１も下側部を流れる空調用空気Ａ１も、中間部を流れる空調用空気Ａ１と同一方向へ吹き出され、指向性が高められる。
【０１０４】
なお、下流フィン群Ｆ１の傾斜状態から、操作ノブ３１に対し上方へ向かう力が加えられると、下流リンク機構ＬＭ１の各構成部材が、上記のように、操作ノブ３１に対し下方へ向かう力が加えられた場合とは逆の方向へ作動する。操作ノブ３１が上記中心軸線ＣＬに対し平行になると、図３に示すように、全ての中間フィン２３及び両端フィン２２が上記中心軸線ＣＬに対し平行な状態になって、下流フィン群Ｆ１が中立状態に戻る。
【０１０５】
従って、下流フィン群Ｆ１を作動させる下流リンク機構ＬＭ１についても、上述した上流フィン群Ｆ２を作動させる上流リンク機構ＬＭ２と同様の効果が得られる。
本実施形態によると、上記以外にも、次の効果が得られる。
【０１０６】
・フィン軸２５，２９において支持された各端フィン２２，２６では、上流連結ピン４４Ｄ，４４Ｕが上流カム溝４８Ｄ，４８Ｕに係合され、下流連結ピン４５Ｄ，４５Ｕが下流カム溝５１Ｄ，５１Ｕに係合されている。このように、本実施形態では、端フィン２２，２６毎に連結ピンとカム溝とが２つずつ設けられ、各連結ピンが、対応するカム溝に係合されている。そのため、端フィン２２，２６毎に連結ピン及びカム溝が１つずつ設けられ、その連結ピンがカム溝に係合される場合に比べ、フィン軸２５，２９を支点とする各端フィン２２，２６の傾動を安定させることができる。
【０１０７】
・各第１対向壁部１５（各第２対向壁部１７）に、対向する第１対向壁部１５（第２対向壁部１７）に向けて突出するに山形状の突起部を設けることによっても、上記実施形態と同様に、フィン群の傾斜状態での空調用空気Ａ１の指向性を向上させることが可能である。この場合、各突起部の上流部は、下流側ほど両突起部間の間隔が狭まるように上記中心軸線ＣＬに対し傾斜する。また、各突起部の下流部は、下流側ほど両突起部間の間隔が広がるように上記中心軸線ＣＬに対し傾斜する。しかし、この変形例では、フィン群の中立状態で、両突起部が空調用空気Ａ１の流れの妨げとなり、圧力損失の増大を招く問題がある。
【０１０８】
この点、本実施形態によれば、フィン群の中立状態では、図３及び図６に示すように、両端フィン２２，２６が上記中心軸線ＣＬに対し平行となる。そのため、フィン群の中立状態では、端フィン２２，２６は、空調用空気Ａ１の流れの妨げとなりにくく、端フィン２２，２６による圧力損失の増大を抑制することができる。
【０１０９】
・図４及び図７（ａ）に示すように、本実施形態では、各端フィン２２，２６において、上流連結ピン４４Ｄ，４４Ｕ及び下流連結ピン４５Ｄ，４５Ｕは共通のアーム４３Ｄ，４３Ｕに形成されている。そのため、上流連結ピン４４Ｄ，４４Ｕ及び下流連結ピン４５Ｄ，４５Ｕが別々のアームに設けられる場合に比べ、端フィン２２，２６を作動させるための構造がより簡単になる。
【０１１０】
・図９（ｂ）及び図１４（ｂ）に示すように、フィン群の中立状態から連結プレート４６Ｄ，４６Ｕがフィンの上記配列方向の一方へ移動すると、その移動に連動して、両端フィン２２，２６が、フィン軸２５，２９を支点として、下流側ほど互いに接近する側へ傾動する。上記配列方向のうち、中間フィン２３，２７のフィン軸２５，２９よりも下流側部分が傾動する方向の前方に隣接する端フィン２２，２６は、同中間フィン２３，２７の傾動方向とは反対方向へ傾動する。この傾動に伴い、各端フィン２２，２６のフィン軸２５，２９よりも下流部分と、隣の中間フィン２３，２７のフィン軸２５，２９よりも下流部分とは互いに接近する。
【０１１１】
この点、本実施形態では、各端フィン２２，２６のフィン軸２５，２９が、中間フィン２３，２７のフィン軸２５，２９よりも上流であって、同端フィン２２，２６のフィン軸２５，２９と下流端との間隔Ｄ１，Ｄ２よりも、隣の中間フィン２３，２７のフィン軸２５，２９から遠い箇所に配置されている。そのため、各端フィン２２，２６の上記下流部分と、隣の中間フィン２３，２７の上記下流部分とが干渉するのを抑制することができる。
【０１１２】
・本実施形態では、端フィン２２，２６が、同端フィン２２，２６の上流端に設けられて、第１対向壁部１５と第２対向壁部１７との境界部分に支持されたフィン軸２５，２９を支点として傾動される。そのため、フィン群の中立状態（図３、図６参照）であっても、傾斜状態（図９（ｂ）及び図１４（ｂ）参照）であっても、フィン軸２５及び第２対向壁部１７の間に生ずる隙間と、フィン軸２９及び第１対向壁部１５の間に生ずる隙間とをともに小さくし、これらの隙間を空調用空気Ａ１が流れるのを抑制することができる。
【０１１３】
・図６に示すように、通風路１３における左右両側部では、空調用空気Ａ１が両第１対向壁部１５に沿って流れる。また、図３に示すように、通風路１３における上下両側部では、空調用空気Ａ１が両第２対向壁部１７に沿って流れる。
【０１１４】
ここで、本実施形態では、各第１対向壁部１５に凹部１６が形成されていて、ここに端フィン２６のフィン軸２９の全体が配置されている。また、各第２対向壁部１７に凹部１８が形成されていて、ここに端フィン２２のフィン軸２５の全体が配置されている。
【０１１５】
そのため、通風路１３の左右両側部を流れる空調用空気Ａ１は、端フィン２６のフィン軸２９と第１対向壁部１５との間に入り込みにくい。また、通風路１３の上下両側部を流れる空調用空気Ａ１は、端フィン２２のフィン軸２５と第２対向壁部１７との間に入り込みにくい。
【０１１６】
さらに、上流フィン群Ｆ２の中立状態では、各端フィン２６が凹部１６内において、中心軸線ＣＬに対し平行な状態になる。各端フィン２６の全体が凹部１６に位置する。そのため、両端フィン２６は、通風路１３の左右両側部を流れる空調用空気Ａ１の妨げとなりにくく、その分、圧力損失を小さくすることができる。
【０１１７】
また、下流フィン群Ｆ１の中立状態では、各端フィン２２が凹部１８内において、中心軸線ＣＬに対し平行な状態になる。各端フィン２２の全体が凹部１８に位置する。そのため、両端フィン２２は、通風路１３の上下両側部を流れる空調用空気Ａ１の妨げとなりにくく、その分、圧力損失を小さくすることができる。
【０１１８】
・図７（ａ）〜（ｃ）及び図８（ａ）〜（ｃ）に示すように、各下流カム溝５１Ｄ，５１Ｕの湾曲部５２Ｄ，５２Ｕが下流側へ膨らむように湾曲し、各上流カム溝４８Ｄ，４８Ｕが、上記湾曲部５２Ｄ，５２Ｕよりも小さな曲率半径で上流側へ膨らむように湾曲している。そのため、連結プレート４６Ｄ，４６Ｕが移動して、下流カム溝５１Ｄ，５１Ｕ及び上流カム溝４８Ｄ，４８Ｕが移動した場合、同下流カム溝５１Ｄ，５１Ｕにおける下流連結ピン４５Ｄ，４５Ｕの係合位置をスムーズに変化させることができる。また、上流カム溝４８Ｄ，４８Ｕにおける上流連結ピン４４Ｄ，４４Ｕの係合位置をスムーズに変化させることができる。
【０１１９】
なお、上記実施形態は、これを以下のように変更した変形例として実施することもできる。上記実施形態及び以下の変形例は、技術的に矛盾しない範囲で互いに組み合わせて実施することができる。
【０１２０】
・上記実施形態のように、下流フィン群Ｆ１と上流フィン群Ｆ２とによってフィン群が構成される空調用レジスタ１０の場合、上流連結ピン４４Ｄ，４４Ｕの上流カム溝４８Ｄ，４８Ｕに対する係合、及び下流連結ピン４５Ｄ，４５Ｕの下流カム溝５１Ｄ，５１Ｕに対する係合は、上流フィン群Ｆ２のみにおいてなされてもよい。
【０１２１】
これは、次の理由による。仮に、下流フィン群Ｆ１の傾斜状態で、端フィン２２が、その下流側部分が上流側部分よりも隣の第２対向壁部１７に近づくように傾斜させられると、その端フィン２２に沿って流れる空調用空気Ａ１は同第２対向壁部１７に当たって、流れ方向を変えられた後に吹出口２１から吹き出されるおそれがある。また、仮に、上流フィン群Ｆ２の傾斜状態で、端フィン２６が、その下流側部分が上流側部分よりも隣の第１対向壁部１５に近づくように傾斜させられると、その端フィン２６に沿って流れる空調用空気Ａ１は同第１対向壁部１５に当たって、流れ方向を変えられた後に吹出口２１から吹き出される。
【０１２２】
こうした現象は、上流フィン群Ｆ２において下流フィン群Ｆ１におけるよりも起こりやすい。上流フィン群Ｆ２が下流フィン群Ｆ１よりも吹出口２１から上流側へ遠ざかった箇所に設けられるからである。下流フィン群Ｆ１の端フィン２２に沿って流れる空調用空気Ａ１は、第２対向壁部１７に当たることなく吹出口２１から吹き出される可能性がある。しかし、上流フィン群Ｆ２の端フィン２６に沿って流れた空調用空気Ａ１が、第１対向壁部１５に当たることなく吹出口２１から吹き出される可能性は低い。
【０１２３】
従って、上記上流フィン群Ｆ２において、上流連結ピン４４Ｕの上流カム溝４８Ｕに対する係合、及び下流連結ピン４５Ｕの下流カム溝５１Ｕに対する係合が適用されると、下流フィン群Ｆ１に適用される場合よりも指向性を向上させる点で大きな効果が得られる。
【０１２４】
・図１６（ａ）に示すように、中間フィン２７におけるアーム４１Ｕが、上記実施形態とは逆に、フィン軸２９から下流側へ延び、その下流端に連結ピン４２Ｕが設けられてもよい。この場合には、連結プレート４６Ｕは、下流側へ膨らむように緩やかに湾曲する経路に沿って移動する。そのため、連結プレート４６Ｕにおける両下流カム溝５１Ｕ及び両上流カム溝４８Ｕのそれぞれの形状が、上記実施形態と異なるものに変更されてもよい。
【０１２５】
例えば、図１６（ｂ），（ｃ）に示すように、各上流カム溝４８Ｕは、上流側へ膨らむように湾曲する湾曲部４９Ｕと、湾曲部４９Ｕにおいて、上流フィン群Ｆ２の中立状態で上流連結ピン４４Ｕが係合する起点から、下流側へ延びる屈曲部５０Ｕとを備えてもよい。
【０１２６】
また、各下流カム溝５１Ｕは、下流側へ膨らむように湾曲してもよい。例えば、同図１６（ｂ），（ｃ）に示すように、下流カム溝５１Ｕは、上記上流カム溝４８Ｕの湾曲部４９Ｕよりも小さな曲率で湾曲し、略直線状をなしてもよい。
【０１２７】
このように上流カム溝４８Ｕ及び下流カム溝５１Ｕのそれぞれの形状が変更されても、上記実施形態と同様の作用及び効果を得ることができる。
なお、図示はしないが、下流リンク機構ＬＭ１についても上記と同様に、中間フィン２３におけるアーム４１Ｄが、上記実施形態とは逆に、フィン軸２５から下流側へ延び、その下流端に連結ピン４２Ｄが設けられてもよい。この場合にも、上流カム溝４８Ｄ及び下流カム溝５１Ｄに対し、図１６を用いて説明した上流リンク機構ＬＭ２と同様の変更が行われてもよい。
【０１２８】
・操作ノブ３１が下流フィン群Ｆ１における中間フィン２３に設けられた上記実施形態とは異なる箇所、例えば、ベゼル１９において吹出口２１から離れた箇所に設けられてもよい。この場合には、操作ノブ３１の動きを、下流フィン群Ｆ１における中間フィン２３に伝達して傾動させる機構や、同操作ノブ３１の動きを上流フィン群Ｆ２における中間フィン２７に伝達して傾動させる機構（いずれも図示略）が別途必要になる。
【０１２９】
・上記実施形態では、フィンの配列方向における両端のフィンを端フィンとしたが、そのフィンとその隣のフィンとを、端フィンとしてもよい。
・第１対向壁部１５と第２対向壁部１７とは直交してもよく、多少斜めに交差してもよい。
【０１３０】
・上記空調用レジスタは、車室内においてインストルメントパネルとは異なる箇所に設けられるものであってもよい。
・上記空調用レジスタは、空調装置から送られてきて室内に吹き出される空調用空気の向きをフィンによって調整することのできるものであれば、車両に限らず広く適用可能である。
【０１３１】
・下流フィン群Ｆ１におけるフィン本体２４として、上下方向及び上記流れ方向に延びるものが用いられ、上流フィン群Ｆ２におけるフィン本体２８として、左右方向及び上記流れ方向に延びるものが用いられてもよい。
【０１３２】
この場合、リテーナ本体１２において上下方向に相対向する一対の対向壁部を第１対向壁部１５とし、左右方向に相対向する一対の対向壁部を第２対向壁部１７とする。
そして、下流フィン群Ｆ１における複数のフィン本体２４は、両第２対向壁部１７間で第１対向壁部１５に沿って配列される。上流フィン群Ｆ２における複数のフィン本体２８は、両第１対向壁部１５間で第２対向壁部１７に沿って配列される。
【符号の説明】
【０１３３】
１０…空調用レジスタ、１１…リテーナ、１３…通風路、１５…第１対向壁部、１７…第２対向壁部、２１…吹出口、２２，２６…端フィン、２３，２７…中間フィン、２５，２９…フィン軸、４１Ｄ，４１Ｕ，４３Ｄ，４３Ｕ…アーム、４２Ｄ，４２Ｕ…連結ピン、４４Ｄ，４４Ｕ…上流連結ピン、４５Ｄ，４５Ｕ…下流連結ピン、４６Ｄ，４６Ｕ…連結プレート、４８Ｄ，４８Ｕ…上流カム溝、５１Ｄ，５１Ｕ…下流カム溝、Ａ１…空調用空気、ＣＬ…中心軸線、Ｄ１，Ｄ２…間隔、Ｆ１…下流フィン群、Ｆ２…上流フィン群。
【図１】
2020179816.tif 000003
【図２】
2020179816.tif 000004
【図３】
2020179816.tif 000005
【図４】
2020179816.tif 000006
【図５】
2020179816.tif 000007
【図６】
2020179816.tif 000008
【図７】
2020179816.tif 000009
【図８】
2020179816.tif 000010
【図９】
2020179816.tif 000011
【図１０】
2020179816.tif 000012
【図１１】
2020179816.tif 000013
【図１２】
2020179816.tif 000014
【図１３】
2020179816.tif 000015
【図１４】
2020179816.tif 000016
【図１５】
2020179816.tif 000017
【図１６】
2020179816.tif 000018